(57)【特許請求の範囲】
【請求項１】
揚送筒本体に周回せしめられる搬送ベルトと前記揚送筒本体の一側のベルト周回面を覆うように複数箇所で一対の支持金具によって取り付けられるカバー板に装着されパチンコ玉に付着した汚れを拭き取るベルトとにパチンコ玉を挟持することにより、該パチンコ玉を研磨揚送する玉磨き揚送装置において、
前記支持金具は、前記揚送筒本体の同一高さ位置の両側面に固着される固定板と、各々の固定板に対して水平方向にスライドし且つ前記カバー板を支持するスライド板と、で構成し、
前記スライド板には、前記揚送筒本体の両側面に突出するように連結軸を介して一体的に支持される偏心カムが挿入される調節用孔と、前記揚送筒本体の両側面に突出するように支持されると共にその両端に締着部材が取り付けられる固定連結軸を貫通する横長孔と、を形成したことを特徴とする玉磨き揚送装置。
【請求項２】
前記揚送筒本体の両側面に固着される一対の支持金具のうち、一方の支持金具のスライド板の端部には、前記カバー板の一方を軸支する軸受部が形成され、他方の支持金具のスライド板の端部には、前記カバー板の他方部に突設される係止ピンと係合する係止レバーが設けられていることを特徴とする請求項１記載の玉磨き揚送装置。
【発明の詳細な説明】
【０００１】
【発明の属する技術分野】
本発明は、揚送筒本体に周回せしめられる搬送ベルトと前記揚送筒本体の一側のベルト周回面を覆うように複数箇所で一対の支持金具によって取り付けられるカバー板に装着されパチンコ玉に付着した汚れを拭き取るベルトとにパチンコ玉を挟持することにより、該パチンコ玉を研磨揚送する玉磨き揚送装置に関するものである。
【０００２】
【従来の技術】
従来、搬送ベルトが周回する揚送筒本体と、該揚送筒本体の一側のベルト周回面を覆い且つ布ベルトが敷設されるカバー板とは、図１１に示すような構造となっていた。即ち、揚送筒本体１２の一方側面にカバー軸支金具６０が固着され、他方側面にカバー係止金具７０が固着されている。そして、カバー軸支金具６０は、長方形状のスライド板６１に横長の調節用移動孔６２を形成してその調節用移動孔６２に２つの固定ボルト６３を螺着し且つスライド板６１の先端にカバー板１７に固着される軸受部材６５の軸受部６６と一致せしめられて軸ピン６７が挿入される軸受部６４が形成されている。また、カバー係止金具７０は、その中心を支点ボルト７２で揺動自在に軸支される揺動板７１の下部に横長の調節用移動孔７３を形成してその調節用移動孔７３に固定ボルト７４を螺着し且つ揺動板７１の上部に連結軸７５を介して係止レバー７６を連結し、その係止レバー７６の先端に形成される係止溝７７をカバー板１７に突設形成される係止ピン７８に係合させるようになっている。
【０００３】
上記のように構成される玉磨き揚送装置の揚送筒本体１２とカバー板１７とは、カバー係止金具７０の係止レバー７６を上方に回動させて係止溝７７と係止ピン７８との係合状態を解除し、その状態でカバー軸支金具６０の軸ピン６７を中心としてカバー板１７を揚送筒本体１２に対して開閉自在にし、その開放状態で搬送ベルトや布ベルトの交換作業を行うものである。また、カバー板１７を閉じた状態で揚送筒本体１２に周回せしめられる搬送ベルトとカバー板１７に敷設される布ベルトとを対面させると共に、その間にパチンコ玉を挟持して該パチンコ玉を下部から上部に揚送するものであるが、その際、揚送筒本体１２とカバー板１７との隙間２２を調節することにより、搬送ベルトと布ベルトとによるパチンコ玉への挟持力を調節して揚送能力や研磨能力を維持するようにしていた。
【０００４】
【発明が解決しようとする課題】
しかして、揚送筒本体１２とカバー板１７との間の隙間２２を調節するために、従来においては、まず、カバー軸支金具６０の２つの固定ボルト６３を緩め、次いで、カバー係止金具７０の支点ボルト７２及び固定ボルト７４を緩め、その後、カバー軸支金具６０側の隙間２２に所望の厚みゲージを差し込んでスライド板６１の軸受部６４をハンマーで軽く叩きながらゲージ厚に一致するように調節した後、固定ボルト６３を締めて固定する。更に、カバー軸支金具７０側の隙間２２にも同じ厚みゲージを差し込んで揺動板７０の上部をハンマーで軽く叩きながらゲージ厚に一致するように調節した後、支点ボルト７２及び固定ボルト７３を締めて固定する。
【０００５】
このように、従来の玉磨き揚送装置においては、揚送筒本体１２の両側面に固着されるカバー軸支金具６０側とカバー係止金具７０側の両側面から揚送筒本体１２とカバー板１７との隙間２２を調節する必要があるため、玉磨き揚送装置をパチンコ島台の内部から引き出して行わなければならず、極めて面倒な作業を強いられていたという欠点があった。本発明は、上記した欠点を解消するためになされたもので、その目的とするところは、揚送筒本体とカバー板との隙間の調節を簡単に行うことができる玉磨き揚送装置を提供することにある。
【０００６】
【課題を解決するための手段】
上記した目的を達成するために、本発明においては、
支持金具は、揚送筒本体の同一高さ位置の両側面に固着される固定板と、各々の固定板に対して水平方向にスライドし且つカバー板を支持するスライド板と、で構成し、前記スライド板には、前記揚送筒本体の両側面に突出するように連結軸を介して一体的に支持される偏心カムが挿入される調節用孔と、前記揚送筒本体の両側面に突出するように支持されると共にその両端に締着部材が取り付けられる固定連結軸を貫通する横長孔と、を形成するという構成を採用したものであり、このような構成を採用した結果、締着部材を緩めることにより揚送筒本体の両側面に位置する両方のスライド板が移動可能状態となり、そのような状態で一方の偏心カムを回転せしめることにより、両方の偏心カムと調節用孔との係合により両方のスライド板が同調して同じ距離だけ移動するので、揚送筒本体とカバー板との一方の隙間に厚みゲージを差し込んで所望の隙間間隔を容易に得ることができる。つまり、本発明においては、揚送筒本体の一側側面からだけ締着部材を緩めて偏心カムを回転せしめるだけで両側面の隙間調節ができるので、わざわざ玉磨き揚送装置をパチンコ島台から引き出すことなく、簡単に揚送筒本体とカバー板との隙間の調節を行うことができる。
【０００７】
【発明の実施の形態】
以下、図面を参照して、本発明の実施の形態について説明する。まず、図１を参照して、実施形態に係る玉磨き揚送装置１０を内蔵するパチンコ島台１の構成について簡単に説明する。図１は、パチンコ島台１の中央部分の側面図である。図において、周知のように、パチンコ島台１は、複数のパチンコ機２を背向列設するものであり、その内部にパチンコ機２で使用するパチンコ玉を循環せしめる循環機構を内蔵している。そして、循環機構の一部として、本実施形態の要部を構成する玉磨き揚送装置１０がパチンコ島台１のほぼ中央に形成される玉磨き揚送装置収納部３に収納設置されている。この玉磨き揚送装置収納部３は、その一側面が開閉式の開放扉となっており、玉磨き揚送装置１０に故障等が生じた場合には、この開放扉を開放して玉磨き揚送装置１０を引き出したり、あるいは引き出すことなく各種の処置を行うことができる。また、玉磨き揚送装置収納部３の内側側壁には、玉磨き揚送装置１０の後述する布ベルト２１の巻取動作を制御するための制御回路が内蔵されるコントロール基板４が取り付けられている。
【０００８】
次に、本実施形態の要部を構成する玉磨き揚送装置１０の全体の構成について図１乃至図４を参照して説明する。図１は、前述した通りであり、図２は、玉磨き揚送装置１０を後方から見た斜視図であり、図３は、玉磨き揚送装置１０のカバー板１７を開放した状態の後方から見た斜視図であり、図４は、玉磨き揚送装置１０の側面図である。ただし、図２乃至図４においては、カバー板１７の背面に取り付けられる布ベルトの自動巻取機構の図示が省略されている。
【０００９】
図において、玉磨き揚送装置１０は、支持台１１の上部に揚送筒本体１２が垂直状に立設され、揚送筒本体１２の内部を下部に支持されるモータ内蔵プーリ１３によって駆動される革製の搬送ベルト１４が周回するようになっている。そして、揚送筒本体１２の下部には、玉磨き前のパチンコ玉が流入する玉流入口１５が形成され、揚送筒本体１２の上部には、玉磨き後のパチンコ玉が排出される玉排出口１６が形成されている。したがって、玉流入口１５から流入したパチンコ玉は、搬送ベルト１４によって揚送され、玉排出口１６から排出されるが、その揚送される過程で後述する布ベルト２１との摩擦力によってパチンコ玉に付着した汚れが拭き取られ、玉排出口１６からは、きれいにされたパチンコ玉が排出されることになる。
【００１０】
一方、前記した揚送筒本体１２の背面側には、カバー板１７が一側辺を軸支されて開閉自在に取り付けられている。このカバー板１７は、前記搬送ベルト１４や布ベルト２１を玉磨き揚送装置１０に装着する際に開放されるものであると共に、布ベルト２１自体がカバー板１７を周回するように装着される。そして、搬送ベルト１４や布ベルト２１が装着された時には、支持金具としてのカバー軸支金具３０とカバー係止金具４０とによってカバー板１７を揚送筒本体１２に対面させた状態に維持される。ただし、後に詳述するが、揚送筒本体１２とカバー板１７との間には、隙間２２が形成されることとなるが、この隙間２２は、カバー軸支金具３０とカバー係止金具４０によってその寸法を設定することができ、その設定値に応じて揚送されるパチンコ玉への圧力を変化させることができる。
【００１１】
ところで、上記したカバー板１７の背面には、引張ユニット１８と、布ベルト装着ユニット１９と、チャッキングユニット２０とが取り付けられている。引張ユニット１８は、モータの駆動力により使用済の布ベルト２１を引っ張るものであり、布ベルト装着ユニット１９は、使用前後の布ベルト２１をロール状に装着するものであり、チャッキングユニット２０は、布ベルト２１の移動を停止せしめるものである。しかして、営業終了後に、引張ユニット１８に設けられる始動スイッチ（図示しない）を操作することにより、前記コントロール基板４からの指令に基づいてチャッキングユニット２０のチャッキング状態が解除され、その後、引張ユニット１８のモータが駆動して布ベルト２１を引っ張ると共に布ベルト装着ユニット１９に巻取り、布ベルト２１の使用面と未使用面とが完全に入れ替わる時間が経過したときに、チャッキングユニット２０をチャッキング状態とし、その後、引張ユニット１８のモータの駆動を停止して、自動的に布ベルト２１を新規な部分に交換するようになっている。
【００１２】
また、上記した玉磨き揚送装置１０の揚送筒本体１２とカバー板１７とは、支持金具を構成するカバー軸支金具３０及びカバー係止金具４０によって取り付けられるが、その取付状態について図５乃至図１０を参照して説明する。図５は、カバー軸支金具３０及びカバー係止金具４０の全体の状態を示す玉磨き揚送装置１０の後方から見た斜視図であり、図６は、図４のＡ−Ａ線で切断した状態で１対のカバー軸支金具３０及びカバー係止金具４０の斜視図であり、図７は、カバー軸支金具３０の拡大側面図であり、図８は、カバー軸支金具３０の隙間調節の作用を説明するための側面図であり、図９は、カバー係止金具４０の拡大側面図であり、図１０は、カバー係止金具４０の隙間調節の作用を説明するための側面図である。
【００１３】
まず、カバー軸支金具３０及びカバー係止金具４０の詳細な構成を説明する前に、カバー板１７の構成及び機能について簡単に説明すると、カバー板１７の前面側は、図６に示すように、揚送されるパチンコ玉の一部が嵌り込むような円弧状の玉通路溝２３が上下方向に形成され、その前面に布ベルト２１が敷設され、その布ベルト２１と対面するように搬送ベルト１４が周回している。そして、揚送ベルト１４と布ベルト２１とに挟持されながら且つ前記玉通路溝２３に沿ってパチンコ玉が揚送されるわけであるが、その揚送されるパチンコ玉にある程度の挟持圧を付与しなければ、玉の重力に逆らって揚送することができないので、揚送筒本体１２とカバー板１７との間の隙間２２を初期状態においてある程度調節しなければならない。しかして、初期状態において、調節した隙間２２も玉磨き揚送装置１０を使用することによって、例えば、革製の揚送ベルト１４が摩耗してくるため、徐々に隙間２２の間隔が大きくなり、パチンコ玉に所定の挟持圧を付与することができなくなる。このため、隙間２２の間隔調整を行う必要があるが、この調節作業を容易に行うための構成が次に説明する支持金具としてのカバー軸支金具３０及びカバー係止金具４０である。
【００１４】
そこで、以下、カバー軸支金具３０及びカバー係止金具４０の構成について詳細に説明する。図５に示すように、カバー軸支金具３０及びカバー係止金具４０は、揚送筒本体１２の同一高さに両側面にカバー軸支金具３０とカバー係止金具４０とが対となって異なる高さ位置に複数組（図示の場合には上中下の３箇所）取り付けられている。そして、一方の支持金具は、カバー板１７を開閉自在に軸支するカバー軸支金具３０を構成し、他方の支持金具は、カバー板１７の閉止状態を保持するカバー係止金具４０を構成するものである。なお、カバー板１７を開閉自在ではなく揚送筒本体１２に対して着脱自在に装着する場合には、両方の支持金具において、後述するスライド板３２，４２の端部にカバー板１７を掛け止める掛止部を構成したものでも良い。
【００１５】
まず、カバー軸支金具３０の構成について図６及び図７を参照して説明する。カバー軸支金具３０は、揚送筒本体１２一側側面に固着される固定板３１と、固定板３１に対して水平方向にスライドするスライド板３２と、で構成されている。前記固定板３１は、ボルト（符号なし）によって揚送筒本体１２の側面に固着されている。また、前記スライド板３２には、揚送筒本体１２の両側面に突出するように連結軸５１を介して支持される偏心カム５０ａが挿入される調節用孔としての調節用楕円孔３３と、揚送筒本体１２の両側面に突出するように支持されると共にその両端に締着部材としての固定ナット５３ａが（必要に応じてスプリングワッシャを介して）取り付けられる固定連結軸５４を貫通する横長孔としての固定用横長孔３４と、が形成されている。更に、スライド板３２の先端部には、カバー板１７にボルトによって固着される軸受部材３６の軸受部３７と一致せしめられて軸ピン３８が挿入される軸受部３５が形成されている。なお、連結軸５１の端部には、偏心カム５０ａを固着した後に六角ナット５２ａが螺着されており、この六角ナット５２ａをスパナ等の工具で回転せしめることにより偏心カム５０ａ及び連結軸５１を回転せしめることができる。
【００１６】
次に、カバー係止金具４０の構成について図６及び図９を参照して説明する。カバー係止金具４０は、揚送筒本体１２他側側面に固着される固定板４１と、固定板４１に対して水平方向にスライドするスライド板４２と、で構成されている。前記固定板４１は、ボルト（符号なし）によって揚送筒本体１２の側面に固着されている。また、前記スライド板４２には、揚送筒本体１２の両側面に突出するように連結軸５１を介して支持される偏心カム５０ｂが挿入される調節用孔としての調節用楕円孔４３と、揚送筒本体１２の両側面に突出するように支持されると共にその両端に締着部材としての固定ナット５３ｂが（必要に応じてスプリングワッシャを介して）取り付けられる固定連結軸５４を貫通する横長孔としての固定用横長孔４４と、が形成されている。更に、スライド板４２の先端部には、カバー板１７に突設される係止ピン４８に係合される係止溝４６を有する係止レバー４５が回動自在に軸支されている。係止レバー４５の先端上部は、指で操作し易いように水平方向に延設される操作片４７となっている。なお、連結軸５１の端部には、偏心カム５０ｂを固着した後に六角ナット５２ｂが螺着されており、この六角ナット５２ｂをスパナ等の工具で回転せしめることにより偏心カム５０ｂ及び連結軸５１を回転せしめることができる。
【００１７】
上記のように構成される支持金具としてのカバー軸支金具３０とカバー係止金具４０との作用について図１、図６、図８、図１０を参照して説明すると、玉磨き揚送装置１０は、図１に示すように、パチンコ島台１の玉磨き揚送装置収納部３内に搬送ベルト１４の周回面が見えない位置、即ち、揚送筒本体１２及びカバー板１７の側方が見える向きに収納される場合が多い。このような収納向きにおいては、玉磨き揚送装置収納部３の開閉扉を開放したときにカバー板１７の支持金具３０，４０のうち、一方の支持金具３０又は４０しか見ることができない。このため、前述したように従来の支持金具６０，７０の場合には、玉磨き揚送装置１０を収納部３から引き出して両方の支持金具６０，７０を調節して揚送筒本体１２とカバー板１７との隙間２２の調節を行わなければならなかった。
【００１８】
しかしながら、本実施形態においては、玉磨き揚送装置１０を収納部３に収納したままの状態で、操作することができる一方の支持金具３０の固定ナット５３ａを僅かに緩める。この固定ナット５３ａを緩めることにより、他方の固定ナット５３ｂの締着力も緩むこととなり、両方のスライド板３２，４２の移動が可能となる。その後、六角ナット５２ａにスパナ等の工具を嵌合していずれかの方向に回転せしめることにより、連結軸５１及びその両端に固着される偏心カム５０ａ，５０ｂが回転する。例えば、六角ナット５２ａを図８（Ｂ）に示すように、時計方向に回転せしめることにより、偏心カム５０ａと調節用楕円孔３３との係合によってスライド板３２が図示右方向、即ち、カバー板１７が離れて隙間２２の間隔Ｌ２が回転前の隙間２２の間隔Ｌ１よりも大きくなる。このとき、反対側の偏心カム５０ｂも同時に回転するので、図１０（Ｂ）に示すように、偏心カム５０ｂと調節用楕円孔４３との係合によってスライド板４２が反対側のスライド板３２と同期して移動する。上記と逆に、六角ナット５２ａを反時計方向に回転すると、隙間２２の間隔が小さくなるようにスライド板３２，４２が移動する。そして、厚みゲージ等を隙間２２に差し込んで所望の隙間２２の間隔を設定した後には、固定ナット５３ａを締着することにより、両方のスライド板３２，４２の固定板３１，４１に対する位置を固定することができる。
【００１９】
なお、言うまでもないが、玉磨き揚送装置収納部３の開閉扉を開放したときにカバー係止金具４０だけが操作し得るように収納されている場合には、カバー係止金具４０側の固定ナット５３ｂと六角ナット５２ｂを操作するだけ上記と同じ作用を行うことができる。
【００２０】
以上、本実施の形態について詳細に説明してきたが、本実施の形態によれば、支持金具３０，４０は、揚送筒本体１２の同一高さ位置の両側面に固着される固定板３１，４１と、各々の固定板３１，４１に対して水平方向にスライドし且つカバー板１７を支持するスライド板３２，４２と、で構成し、スライド板３２，４２には、揚送筒本体１２の両側面に突出するように連結軸５１を介して一体的に支持される偏心カム５０ａ，５０ｂが挿入される調節用楕円孔３３，４３と、揚送筒本体１２の両側面に突出するように支持されると共にその両端に固定ナット５３ａ，５３ｂが取り付けられる固定連結軸５４を貫通する固定用横長孔３４，４４と、を形成するという構成を採用したものであり、このような構成を採用した結果、固定ナット５３ａ，５３ｂを緩めることにより揚送筒本体１２の両側面に位置する両方のスライド板３２，４２が移動可能状態となり、そのような状態で一方の偏心カム５０ａ又は５０ｂを回転せしめることにより、両方の偏心カム５０ａ，５０ｂと調節用楕円孔３３，４３との係合により両方のスライド板３２，４２が同調して同じ距離だけ移動するので、揚送筒本体１２とカバー板１７との一方の隙間２２に厚みゲージを差し込んで所望の隙間間隔を容易に得ることができる。つまり、本実施形態においては、揚送筒本体１２の一側側面からだけ固定ナット５３ａ又は５３ｂを緩めて一方の偏心カム５０ａ又は５０ｂを回転せしめるだけで両側面の隙間調節ができるので、わざわざ玉磨き揚送装置１０をパチンコ島台１から引き出すことなく、簡単に揚送筒本体１２とカバー板１７との隙間２２の調節を行うことができる。
【００２１】
なお、上記した実施形態においては、六角ナット５２ａ，５２ｂをスパナ等の工具を使って操作する場合について述べたが、六角ナット５２ａ，５２ｂにレバーを一体的に設けることにより、工具等を必要とせず調節することができる。また、隙間２２の大きさを示す目盛りを、例えば、スライド板３２，４２に形成しておけば、調節の際に厚みゲージが必要ではなくなる。
【００２２】
【発明の効果】
以上、説明したところから明らかなように、本発明においては、揚送筒本体の一側側面からだけ締着部材を緩めて偏心カムを回転せしめるだけで両側面の隙間調節ができるので、わざわざ玉磨き揚送装置をパチンコ島台から引き出すことなく、簡単に揚送筒本体とカバー板との隙間の調節を行うことができる。
【図面の簡単な説明】
【図１】本実施形態の玉磨き揚送装置が設置されるパチンコ島台の中央部分の側面図である。
【図２】玉磨き揚送装置を後方から見た斜視図である。
【図３】玉磨き揚送装置のカバー板を開放した状態の後方から見た斜視図である。
【図４】玉磨き揚送装置の側面図である。
【図５】支持金具としてのカバー軸支金具及びカバー係止金具の全体の状態を示す玉磨き揚送装置の後方から見た斜視図である。
【図６】図４のＡ−Ａ線で切断した状態で１対のカバー軸支金具及びカバー係止金具の斜視図である。
【図７】カバー軸支金具の拡大側面図である。
【図８】カバー軸支金具の隙間調節の作用を説明するための側面図である。
【図９】カバー係止金具の拡大側面図である。
【図１０】カバー係止金具の隙間調節の作用を説明するための側面図である。
【図１１】従来の支持金具の隙間調節の作用を説明するための側面図である。
【符号の説明】
１０  玉磨き揚送装置
１２  揚送筒本体
１４  搬送ベルト
１７  カバー板
２１  布ベルト
２２  隙間
３０  カバー軸支金具（支持金具）
３１  固定板
３２  スライド板
３３  調節用楕円孔（調節用孔）
３４  固定用横長孔（横長孔）
３５  軸受部
３６  軸受部材
３７  軸受部
３８  軸ピン
４０  カバー係止金具（支持金具）
４１  固定板
４２  スライド板
４３  調節用楕円孔（調節用孔）
４４  固定用横長孔（横長孔）
４５  係止レバー
４６  係止溝
４７  操作片
４８  係止ピン
５０ａ，５０ｂ  偏心カム
５１  連結軸
５２ａ，５２ｂ  六角ナット
５３ａ，５３ｂ  固定ナット（締着部材）
５４  固定連結軸
【図１】
0003890615.tif 000002
【図２】
0003890615.tif 000003
【図３】
0003890615.tif 000004
【図４】
0003890615.tif 000005
【図５】
0003890615.tif 000006
【図６】
0003890615.tif 000007
【図７】
0003890615.tif 000008
【図８】
0003890615.tif 000009
【図９】
0003890615.tif 000010
【図１０】
0003890615.tif 000011
【図１１】
0003890615.tif 000012